(57)【要約】【課題】  一旦登録したキューポイントデータが消滅しないような記録再生装置、記録再生方法および記録再生システムの提供を目的とする。【解決手段】  ＶＴＲ操作制御装置１は、操作パネル２と、インターフェースケーブル３と、ＥＬ４と、入力キー５と、メモリカード挿入口６と、メモリカード７とを有している。これにより、ＶＴＲ操作制御装置１は、入力キー５からの入力操作により操作対象ＶＴＲに情報信号を再生させ、再生された情報信号から情報信号に対応するタイムコードを読み取り、読み取られたタイムコードをメモリカード７に登録する。また、ＶＴＲ操作制御装置１は、入力キー５からの入力操作によりメモリカード７に登録されたタイムコードを読み取り、操作対象ＶＴＲに情報信号を供給し、操作対象ＶＴＲに供給されるタイムコードに基づいて情報信号の記録または再生の動作をさせるように制御する。【選択図】        図１
2006060838.tif 000002
【特許請求の範囲】
【請求項１】
記録媒体に情報信号を記録し、この情報信号を再生する記録再生装置において、
上記記録再生装置本体または上記記録再生装置本体に接続された他の部材に脱着可能に設けられ、上記情報信号の位置情報を登録する記憶保持手段と、
上記記憶保持手段と上記記録再生装置本体とを電気的に接続する入出力回路と、
上記位置情報の出力の操作が可能な入出力操作手段と、
上記入出力操作手段からの入力操作により情報信号を再生し、再生された情報信号から上記情報信号に対応する位置情報を読み取り、上記位置情報を上記記憶保持手段に登録する第１の制御手段と、
上記記憶保持手段に登録された上記位置情報を読み取り、上記入出力回路から供給される上記位置情報に基づいて上記情報信号の記録または再生の動作を制御する第２の制御手段とを有することを特徴とする記録再生装置。
【請求項２】
請求項１記載の記録再生装置において、
上記第１の制御手段は、再生された情報信号から上記情報信号に対応する位置情報を読み取る位置情報読み取り手段と、
上記位置情報読み取り手段により読み取られた上記位置情報を一時的に記憶する位置情報一時記憶手段と、
上記入出力操作手段からの入力操作に応じて上記情報信号の再生の動作を制御する記録再生制御手段と、
上記入出力操作手段からの入力操作に応じて上記位置情報に関する情報を表示する表示手段と、
上記表示手段の表示動作の制御をする表示制御手段とを有することを特徴とする記録再生装置。
【請求項３】
請求項１記載の記録再生装置において、
上記第２の制御手段は、
上記記憶保持手段に登録された上記位置情報を読み取る位置情報読み取り手段と、
上記位置情報読み取り手段により読み取られた上記位置情報を一時的に記憶する位置情報一時記憶手段と、
上記入出力操作手段からの入力操作に応じて上記情報信号の記録または再生の動作を制御する記録再生制御手段と、
上記入出力操作手段からの入力操作に応じて上記位置情報に関する情報を表示する表示手段と、
上記表示手段の表示動作の制御をする表示制御手段とを有することを特徴とする記録再生装置。
【請求項４】
記録媒体に情報信号を記録し、この情報信号を再生する記録再生装置における記録再生方法において、
上記記録媒体に記録された上記情報信号の位置情報を記憶保持手段に登録する際には、表示手段に登録画面を表示し、上記情報信号を再生し、上記位置情報の登録の操作があったとき上記位置情報を読み取ると共に上記登録画面上に表示し、読み取られた上記位置情報を上記記憶保持手段に登録し、
上記記憶保持手段に登録された上記情報信号の位置情報に基づいて上記情報信号を再生する際には、上記記録再生装置本体または上記記録再生装置本体に接続された他の部材に上記記憶保持手段が装着されたときに、表示手段にセット画面を表示し、上記セット画面上で指定された上記位置情報を読み取り、上記位置情報に対応する位置の情報信号を再生し、再生された情報信号を記録媒体に記録する記録再生方法。
【請求項５】
記録媒体に記録された情報信号を再生する再生装置と、
上記再生装置から供給された情報信号を記録媒体に記録する記録装置と、
上記再生装置本体もしくは上記記録装置本体、または上記再生装置本体もしくは上記記録装置本体に接続された他の部材に脱着可能に設けられ、上記情報信号の位置情報を登録する記憶保持手段と、
上記記憶保持手段と上記再生装置本体および上記記録装置本体とを電気的に接続する入出力回路と、上記位置情報の入出力の操作が可能な入出力操作手段と、
上記操作制御装置の入出力操作手段からの入力操作により上記再生装置において情報信号を再生し、再生された情報信号から上記操作制御装置において上記情報信号に対応する位置情報を読み取り、上記位置情報を上記記憶保持手段に登録する第１の制御手段と、
上記記憶保持手段に登録された上記位置情報を読み取り、上記位置情報を上記入出力回路から上記再生装置本体に出力し、上記位置情報に基づいて上記再生装置における上記情報信号の再生の動作および上記記録装置における上記情報信号の記録の動作を制御する第２の制御手段とを有し、上記再生装置本体または上記記録装置の操作及び制御が可能な操作制御装置とを備えたことを特徴とする記録再生システム。
【請求項６】
請求項５記載の記録再生システムにおいて、
上記操作制御装置の上記第１の制御手段は、
再生された情報信号から上記情報信号に対応する位置情報を読み取る位置情報読み取り手段と、
上記位置情報読み取り手段により読み取られた上記位置情報を一時的に記憶する位置情報一時記憶手段と、
上記入出力操作手段からの入力操作に応じて上記情報信号の再生の動作を制御する記録再生制御手段と、
上記入出力操作手段からの入力操作に応じて上記位置情報に関する情報を表示する表示手段と、
上記表示手段の表示動作の制御をする表示制御手段とを有することを特徴とする記録再生システム。
【請求項７】
請求項５記載の記録再生システムにおいて、
上記操作制御装置の上記第２の制御手段は、
上記記憶保持手段に登録された上記位置情報を読み取る位置情報読み取り手段と、
上記位置情報読み取り手段により読み取られた上記位置情報を一時的に記憶する位置情報一時記憶手段と、
上記入出力操作手段からの入力操作に応じて上記情報信号の再生または記録の動作を制御する記録再生制御手段と、
上記入出力操作手段からの入力操作に応じて上記位置情報に関する情報を表示する表示手段と、
上記表示手段の表示動作の制御をする表示制御手段とを有することを特徴とする記録再生システム。
【発明の詳細な説明】
【技術分野】
【０００１】
本発明は、例えば、記録再生装置、記録再生方法および記録再生システムに関する。詳しくは、編集に用いる情報信号の位置情報を記憶保持手段に登録して、映像の編集を行うものである。
【背景技術】
【０００２】
従来、電子編集機を用いて映像の編集を行う技術があった。この電子編集機は、編集に用いる情報のリストを自動的に作成して、自動編集を行うものである。しかし、電子編集機は一般に高価であるため、ビデオーテプレコーダー（ＶＴＲ）を用いた映像編集システムが利用されていた。
【０００３】
ＶＴＲを用いた映像編集システムは、素材用ＶＴＲと編集用ＶＴＲとで構成される。この場合、１組の位置情報、つまり編集開始点と編集終了点に基づいて自動編集することはできるが、複数の位置情報に基づいて自動編集することはできなかった。
【０００４】
このＶＴＲを用いて複数の位置情報に基づいて映像の編集を行う手順は以下のとおりである。まず、素材用ＶＴＲにおいて素材テープの複数の映像を素材テープ上の複数の位置情報として指定する。そして、複数の位置情報のリストを作成する。次に、編集用ＶＴＲにおいてこの複数の位置情報のリストに基づいて映像の編集を行う。そしてこの後に、編集用ＶＴＲにおいて編集された映像を編集テープに記録する。この場合の位置情報は、タイムコードである。このようなＶＴＲを用いた映像編集システムでは、素材用ＶＴＲおよび編集用ＶＴＲ自体に備えられた編集機能を利用して映像の編集を行うようにしていた。
【０００５】
このＶＴＲ自体に備えられた編集機能として、映像の頭出し位置を示すキューポイントを複数個取り扱う機能がある。このキューポイントはタイムコードで示される。その具体的編集機能は、キューポイントデータとしてのタイムコードの登録・削除・修正機能、キューポイントリストの表示機能、キューポイントの頭出し機能などである。
【０００６】
オペレーターは、このような機能を利用して目的の編集作業を行うようにしていた。すなわち、素材用ＶＴＲにおいて素材テープの複数の映像のキューポイントデータを登録する。次に、編集用ＶＴＲにおいてこのキューポイントに基づいて必要な映像の頭出しを行いながら編集を行う。そしてこの後に、編集用ＶＴＲにおいて編集された映像を編集テープに記録する。
【０００７】
ここで、一旦登録したキューポイントデータは、ＶＴＲにおいて編集を行う際に一時的にデータを保持する、例えばＶＴＲ内部のＲＡＭ等に記憶するようにしていた。
【発明の開示】
【発明が解決しようとする課題】
【０００８】
しかし、従来の映像編集システムにおいては、キューポイントデータをＶＴＲ内部のＲＡＭ等に記憶するようにしていたので、素材テープをＶＴＲから取り出したり、ＶＴＲの電源を切ることにより、一旦登録したキューポイントデータが消滅してしまうという不都合があった。このため、編集作業を一旦中止しなければならない場合や、編集作業の場所を別の編集システムに移さなければならないような場合などには、すでに登録したキューポイントデータを利用することができなくなり、再びキューポイントの登録作業が必要となり、作業効率が大幅に低下するという不都合があった。
【０００９】
本発明は、かかる点に鑑みてなされたものであり、特に、一旦登録したキューポイントデータが消滅しないような記録再生装置、記録再生方法および記録再生システムの提供を目的とする。
【課題を解決するための手段】
【００１０】
本発明の記録再生装置は、記録媒体に情報信号を記録し、この情報信号を再生する記録再生装置において、記録再生装置本体または記録再生装置本体に接続された他の部材に脱着可能に設けられ、情報信号の位置情報を登録する記憶保持手段と、記憶保持手段と記録再生装置本体とを電気的に接続する入出力回路と、位置情報の出力の操作が可能な入出力操作手段と、入出力操作手段からの入力操作により情報信号を再生し、再生された情報信号から情報信号に対応する位置情報を読み取り、位置情報を記憶保持手段に登録する第１の制御手段と、記憶保持手段に登録された位置情報を読み取り、入出力回路から供給される位置情報に基づいて情報信号の記録または再生の動作を制御する第２の制御手段とを有するものである。
【００１１】
また、この発明の記録再生方法は、記録媒体に情報信号を記録し、この情報信号を再生する記録再生装置における記録再生方法において、記録媒体に記録された情報信号の位置情報を記憶保持手段に登録する際には、表示手段に登録画面を表示し、情報信号を再生し、位置情報の登録の操作があったとき位置情報を読み取ると共に登録画面上に表示し、読み取られた上記位置情報を記憶保持手段に登録し、記憶保持手段に登録された情報信号の位置情報に基づいて情報信号を再生する際には、記録再生装置本体または記録再生装置本体に接続された他の部材に記憶保持手段が装着されたときに、表示手段にセット画面を表示し、セット画面上で指定された位置情報を読み取り、位置情報に対応する位置の情報信号を再生し、再生された情報信号を記録媒体に記録するものである。
【００１２】
また、この発明の記録再生システムは、記録媒体に記録された情報信号を再生する再生装置と、再生装置から供給された情報信号を記録媒体に記録する記録装置と、再生装置本体もしくは記録装置本体、または再生装置本体もしくは記録装置本体に接続された他の部材に脱着可能に設けられ、情報信号の位置情報を登録する記憶保持手段と、記憶保持手段と再生装置本体および記録装置本体とを電気的に接続する入出力回路と、位置情報の出力の操作が可能な入出力操作手段と、操作制御装置の入出力操作手段からの入力操作により再生装置において情報信号を再生し、再生された情報信号から操作制御装置において情報信号に対応する位置情報を読み取り、位置情報を記憶保持手段に登録する第１の制御手段と、記憶保持手段に登録された位置情報を読み取り、位置情報を入出力回路から再生装置本体に出力し、位置情報に基づいて再生装置における情報信号の再生の動作および記録装置における情報信号の記録の動作を制御する第２の制御手段とを有し、再生装置本体または記録装置の操作及び制御が可能な操作制御装置とを備えたものである。
【００１３】
［作用］
本発明の記録再生装置によれば、以下のような作用をする。まず、第１の制御手段により記憶保持手段に情報信号の位置情報を登録する動作を説明する。入出力操作手段での入力操作により位置情報の登録のための入力がされると、表示制御手段は表示手段に位置情報の登録のための制御情報を表示させる。入出力操作手段での入力操作により情報信号の再生をさせるための入力がされると、情報信号の再生をさせるための制御信号が供給される。この制御信号に基づいて情報を再生し、入出力回路に位置情報が供給される。
【００１４】
次に、入出力操作手段での入力操作により編集に必要な位置情報を登録するための入力がされると、位置情報読み取り手段は編集に必要な位置情報を読み取り、位置情報一時記憶手段に一時的に記憶させる。このとき、表示制御手段は表示手段に位置情報読み取り手段により読み取られた位置情報を表示させる。入出力操作手段での入力操作により編集に必要な位置情報を記憶保持手段に記憶させるための入力がされると、位置情報読み取り手段は、位置情報一時的記憶手段に一時的に記憶された位置情報を読みだして、記憶保持手段にコピーして記憶させる。このようにして、編集に必要な位置情報が記憶保持手段に登録される。このとき、表示制御手段は表示手段に位置情報読み取り手段により読み取られた位置情報および、記憶保持手段にコピーされた位置情報を表示させる。
【００１５】
次に、第２の制御手段により装置または装置に接続された他の部材に記憶保持手段が装着されたとき、記憶保持手段に登録された位置情報に基づいて映像を再生して、編集する動作を説明する。記憶保持手段が装置または装置に接続された他の部材に装着されると、表示制御手段は表示手段に記憶保持手段に登録された位置情報を表示させる。入出力操作手段での入力操作により編集に必要な位置情報を指定するための入力がされると、位置情報読み取り手段は記憶保持手段から指定された位置情報を読み取り、位置情報一時記憶手段に一時的に記憶させる。入出力操作手段での入力操作により情報信号の再生をさせるための入力がされると、入出力回路から情報信号の再生をさせるための位置情報及び制御信号が供給される。これにより、指定された位置情報に基づく位置から制御信号に基づいて素材映像信号を再生する。
【００１６】
このとき、入出力操作手段での入力操作により情報信号の記録をさせるための入力がされると、入出力回路から情報信号の記録をさせるための制御信号が供給される。これにより、位置情報に対応する再生映像信号及び再生音声信号を編集して、編集テープに記録する。
【００１７】
本発明の記録再生方法によれば、以下のような作用をする。
まず、入出力操作手段での入力操作により位置情報の記録開始の入力がされたか否かが判断される。ここで、位置情報の記録開始の入力がされたときは、第１の制御手段による登録ルーチンに入る。登録ルーチンに入ったら、表示制御手段は、表示手段に登録画面を表示させる。そして、入出力操作手段での入力操作により再生入力がされたか否かが判断される。再生入力がされたときは、入出力回路からは情報信号の再生を開始する制御信号が供給される。制御信号に基づいて再生が開始される。位置情報読み取り手段は入出力回路に供給されるタイムコードを読み取る。入出力操作手段での入力操作により取り込み入力がされたか否かが判断される。取り込み入力がされないときは、連続して位置情報読み取り手段は入出力回路に供給される位置情報を読み取る。
【００１８】
入出力操作手段での入力操作により取り込み入力がされたときは、位置情報一時記憶手段のアドレスにその位置情報を記憶する。なお、取り込み入力がされたときに、登録画面に取り込み入力がされたときの位置情報が表示される。ここで、取り込み入力がされる毎に、順次画面に位置情報が表示される。次に、位置情報読み取り手段は、位置情報一時記憶手段に記憶された内容の位置情報を読み出して、記憶保持手段に記憶させる。これで、登録ルーチンが終了する。
【００１９】
また、入出力操作手段での入力操作が何もされないときは、記憶保持手段が装置本体または装置に接続された他の部材に挿入されたか否かが判断される。ここで記憶保持手段が挿入されたときは、第２の制御手段による読み出しルーチンに入る。
【００２０】
読み出しルーチンに入ったら、表示制御手段は、表示手段に位置情報セット画面を表示させる。入出力操作手段での入力操作により位置情報の指定入力があった後に、コピー入力がされたか否かが判断される。
【００２１】
コピー入力がされたときは、位置情報読み取り手段は、記憶保持手段の位置情報の内容を位置情報一時記憶手段に記憶する。入出力操作手段での入力操作により位置情報の指定位置から再生を行う入力がされたか否かが判断される。この入力がされたときは、位置情報及び制御信号が供給される。
これにより、位置情報に対応する映像の位置から再生を開始して、映像信号及び音声信号を出力する。出力された映像信号及び音声信号を編集して編集テープに記録する。これで、読み出しルーチンが終了する。
【００２２】
また、この発明の記録再生システムは、以下のような作用をする。まず、第１の制御手段により操作制御装置の記憶保持手段に位置情報を登録する作用を説明する。操作制御装置から記録装置に位置情報の登録の操作制御信号が供給される。記録装置は、再生装置に操作制御信号を供給する。再生装置は、操作制御信号に基づいて情報信号を再生して、記録装置に再生映像信号及び再生音声信号を供給する。このとき、同期信号発生器から再生装置に同期信号が供給されていて、再生装置は、記録装置に再生映像信号及び再生音声信号と共に同期信号を供給する。なお、再生装置は、記録装置を介して操作制御装置に、映像の編集に用いる位置情報を供給する。そこで、操作制御装置の操作に基づいて、編集に必要な位置情報が操作制御装置の記憶保持手段に登録される。
【００２３】
次に、第２の制御手段により操作制御装置の記憶保持手段に登録された位置情報に基づいて映像を編集する作用を説明する。操作制御装置から記録装置に位置情報に対応する映像の再生の操作制御信号が供給される。記録装置は、再生装置に操作制御信号を供給する。再生装置は、操作制御信号に基づいて情報信号を再生して、記録装置に位置情報に対応する再生映像信号及び再生音声信号を供給する。記録装置は、再生映像信号及び再生音声信号を編集して、編集テープに記録する。
【発明の効果】
【００２４】
この発明は、記録媒体に情報信号を記録し、この情報信号を再生する記録再生装置において、記録再生装置本体または記録再生装置本体に接続された他の部材に脱着可能に設けられ、情報信号の位置情報を登録する記憶保持手段と、記憶保持手段と記録再生装置本体とを電気的に接続する入出力回路と、位置情報の入力出力の操作が可能な入出力操作手段と、入出力操作手段からの入力操作により情報信号を再生し、再生された情報信号から情報信号に対応する位置情報を読み取り、位置情報を記憶保持手段に登録する第１の制御手段と、記憶保持手段に登録された位置情報を読み取り、入出力回路から供給される位置情報に基づいて情報信号の記録または再生の動作を制御する第２の制御手段とを有するので、予め、第１の制御手段により入出力操作手段からの入力操作で編集に必要な位置情報を記憶保持手段に登録するように指定しておくことにより、第２の制御手段により編集の動作をする際に記録媒体を装置本体から取り出したり、また装置本体の電源を切ったときでも、記憶保持手段に登録した位置情報が消滅することがない。従って、記録媒体を装置本体から取り出したり、また装置本体の電源を切ったときでも、記憶保持手段を装置に装着するだけで、編集に必要な位置情報を再度登録する作業が不要となるため、編集作業を効率的に行うことができる。
【００２５】
また、この発明は、上述において、第１の制御手段は、再生された情報信号から情報信号に対応する位置情報を読み取る位置情報読み取り手段と、位置情報読み取り手段により読み取られた位置情報を一時的に記憶する位置情報一時記憶手段と、入出力操作手段からの入力操作に応じて情報信号の再生の動作を制御する記録再生制御手段と、入出力操作手段からの入力操作に応じて位置情報に関する情報を表示する表示手段と、表示手段の表示動作の制御する表示制御手段とを有するので、位置情報読み取り手段により読み取られた位置情報を位置情報一時記憶手段に一時的に記憶する際に、表示手段に位置情報に関する情報を表示することができるので、位置情報を記憶保持手段に登録する際に伴う位置情報の読み取りの操作を効率的に行うことができる。従って、装置全体の操作性を向上させることができる。
【００２６】
また、この発明は、上述において、第２の制御手段は、記憶保持手段に登録された位置情報を読み取る位置情報読み取り手段と、位置情報読み取り手段により読み取られた位置情報を一時的に記憶する位置情報一時記憶手段と、入出力操作手段からの入力操作に応じて情報信号の記録または再生の動作を制御する記録再生制御手段と、入出力操作手段からの入力操作に応じて位置情報に関する情報を表示する表示手段と、表示手段の表示動作の制御する表示制御手段とを有するので、位置情報読み取り手段により読み取られた位置情報を位置情報一時記憶手段に一時的に記憶する際に、表示手段に位置情報に関する情報を表示することができるので、記憶保持手段から位置情報を読み出す際に伴う位置情報の読み取りの操作を効率的に行うことができる。従って、装置全体の操作性を向上させることができる。
【００２７】
また、この発明は、記録媒体に情報信号を記録し、この情報信号を再生する記録再生装置における記録再生方法において、記録媒体に記録された情報信号の位置情報を記憶保持手段に登録する際には、表示手段に登録画面を表示し、情報信号を再生し、位置情報の登録の操作があったとき位置情報を読み取ると共に登録画面上に表示し、読み取られた位置情報を記憶保持手段に登録し、記憶保持手段に登録された情報信号の位置情報に基づいて情報信号を再生する際には、記録再生装置本体または記録再生装置本体に接続された他の部材に記憶保持手段が装着されたときに、表示手段にセット画面を表示し、セット画面上で指定された位置情報を読み取り、位置情報に対応する位置の情報信号を再生し、再生された情報信号を記録媒体に記録するので、記録媒体に記録された情報信号の位置情報を記憶保持手段に登録する際または記憶保持手段に登録された情報信号の位置情報に基づいて情報信号を再生する際に、表示手段に登録画面またはセット画面を表示しながら、位置情報の読み取りを行うことができるので、位置情報を記憶保持手段に登録する際または記憶保持手段から位置情報を読み出す際に伴う位置情報の読み取りの操作性を向上させることができる。
【００２８】
また、この発明は、記録媒体に記録された情報信号を再生する再生装置と、再生装置から供給された情報信号を記録媒体に記録する記録装置と、再生装置本体もしくは記録装置本体、または再生装置本体もしくは記録装置本体に接続された他の部材に脱着可能に設けられ、情報信号の位置情報を登録する記憶保持手段と、記憶保持手段と再生装置本体および記録装置本体とを電気的に接続する入出力回路と、位置情報の入力出力の操作が可能な入出力操作手段と、操作制御装置の入出力操作手段からの入力操作により再生装置において情報信号を再生し、再生された情報信号から操作制御装置において情報信号に対応する位置情報を読み取り、位置情報を記憶保持手段に登録する第１の制御手段と、記憶保持手段に登録された位置情報を読み取り、位置情報を入出力回路から再生装置本体に出力し、位置情報に基づいて再生装置における情報信号の再生の動作および記録装置における情報信号の記録の動作を制御する第２の制御手段とを有し、再生装置本体または記録装置の操作及び制御が可能な操作制御装置とを備えたので、予め、第１の制御手段により入出力操作手段からの入力操作で編集に必要な位置情報を記憶保持手段に登録するように指定しておくことにより、第２の制御手段により編集の動作をする際に記録媒体を装置本体から取り出したり、また装置本体の電源を切ったとき、またこのシステムを別の場所に移動したときでも、記憶保持手段に登録した位置情報が消滅することがない。従って、記録媒体を装置本体から取り出したり、また装置本体の電源を切ったときでも、記憶保持手段を装置に装着するだけで、編集に必要な位置情報を再度登録する作業が不要となるため、編集作業を効率的に行うことができる。
【００２９】
また、この発明は、上述において、操作制御装置の第１の制御手段は、再生された情報信号から情報信号に対応する位置情報を読み取る位置情報読み取り手段と、位置情報読み取り手段により読み取られた位置情報を一時的に記憶する位置情報一時記憶手段と、入出力操作手段からの入力操作に応じて情報信号の再生の動作を制御する記録再生制御手段と、入出力操作手段からの入力操作に応じて位置情報に関する情報を表示する表示手段と、表示手段の表示動作の制御する表示制御手段とを有するので、位置情報読み取り手段により読み取られた位置情報を位置情報一時記憶手段に一時的に記憶する際に、表示手段に位置情報に関する情報を表示することができるので、位置情報を記憶保持手段に登録する際に伴う位置情報の読み取りの操作を効率的に行うことができる。従って、システム全体の操作性を向上させることができる。
【００３０】
また、この発明は、上述において、操作制御装置の第２の制御手段は、記憶保持手段に登録された位置情報を読み取る位置情報読み取り手段と、位置情報読み取り手段により読み取られた位置情報を一時的に記憶する位置情報一時記憶手段と、入出力操作手段からの入力操作に応じて情報信号の記録または再生の動作を制御する記録再生制御手段と、入出力操作手段からの入力操作に応じて位置情報に関する情報を表示する表示手段と、表示手段の表示動作の制御する表示制御手段とを有するので、位置情報読み取り手段により読み取られた位置情報を位置情報一時記憶手段に一時的に記憶する際に、表示手段に位置情報に関する情報を表示することができるので、記憶保持手段から位置情報を読み出す際に伴う位置情報の読み取りの操作を効率的に行うことができる。従って、システム全体の操作性を向上させることができる。
【発明を実施するための最良の形態】
【００３１】
［実施例］
以下、本発明の実施例を説明する。図１は、本実施例の外観斜視図である。まず、本実施例のＶＴＲ操作制御装置の外観について概略を説明する。図１において示すように、ＶＴＲ操作制御装置１は、板状体で、上面に長方形の操作パネル２を有している。ＶＴＲ操作制御装置１は、インターフェースケーブル３と、エレクトロルミネセンス表示装置（以下、「ＥＬ」という。）４と、入力キー５と、メモリカード挿入口６と、メモリカード７とを有している。
【００３２】
このＶＴＲ操作制御装置１は、インターフェースケーブル３を介して操作制御対象のＶＴＲと電気的に接続されている。つまり、インターフェースケーブル３により、ＶＴＲ操作制御装置１と操作制御対象のＶＴＲとの間で操作制御信号がやりとりされる。また、インターフェースケーブル３により、操作制御対象のＶＴＲからＶＴＲ操作制御装置１へ電源電圧が供給される。インターフェースケーブル３で操作制御対象のＶＴＲからＶＴＲ操作制御装置１へ供給される電源電圧は、８ボルトである。この８ボルトの電源電圧は、ＶＴＲ操作制御装置１内部でＩＣ回路の電源電圧の５ボルトと、ＥＬ４を表示駆動させる電源電圧の１２ボルトとの２系統の電源電圧に変換される。
【００３３】
ＥＬ４は、操作制御情報を表示する表示手段である。入力キー５は、操作制御のための情報を入力する入出力操作手段である。ここで、特に、この例においては、操作パネル２上面にメモリカード挿入口６を設け、メモリカード７をメモリカード挿入口６に装着できるように構成している。メモリカード７は、例えば、バッテリー付きのＩＣカード内にＳＲＡＭを有して構成される記憶保持手段である。バッテリーはメモリカードを装置から取り外したときに登録された内容が消失しないようにバックアップする電源である。メモリカード７の先端部には、複数のピンが設けられていて、メモリカード挿入口６内部の図示しないコネクタ部にメモリカード７の複数のピンが結合できるように構成されている。この例では、メモリカード７の記憶容量は６４キロバイトである。また、メモリカード７は、例えば、バッテリー無しのＲＡＭカード内に不揮発性ＲＡＭを有して構成しても良い。不揮発性ＲＡＭは一旦登録した内容はバッテリーによるバックアップ無しでも消失することはない。
【００３４】
このように構成されたＶＴＲ操作制御装置は、以下のような動作をする。
まず、メモリカード７にタイムコードを登録する動作を説明する。入力キー５からの入力操作によりタイムコードの登録のための入力がされると、ＶＴＲ操作制御装置１は、ＥＬ４にタイムコードの登録のための制御情報を表示させる。入力キー５からの入力操作により操作制御対象のＶＴＲの映像信号の再生をさせるための入力がされると、ＶＴＲ操作制御装置１から操作制御対象のＶＴＲに、映像信号及び音声信号の再生をさせるための制御信号が供給される。操作制御対象のＶＴＲは、この制御信号に基づいて映像信号を再生し、ＶＴＲ操作制御装置１にタイムコードを供給する。
【００３５】
次に、入力キー５からの入力操作により編集に必要なタイムコードを登録するための入力がされると、ＶＴＲ操作制御装置１は編集に必要なタイムコードを読み取り、装置内部の図示しないＲＡＭに一時的に記憶させる。このとき、ＶＴＲ操作制御装置１はＥＬ４に読み取られたタイムコードを表示させる。入力キー５からの入力操作により編集に必要なタイムコードをメモリカード７に登録させるための入力がされると、ＶＴＲ操作制御装置１は、装置内部の図示しないＲＡＭに一時的に記憶されたタイムコードを読みだして、メモリカード７にコピーして記憶させる。このようにして、編集に必要なタイムコードがメモリカード７に登録される。このとき、ＶＴＲ操作制御装置１はＥＬ４に読み取られたタイムコードおよび、メモリカード７にコピーされたタイムコードを表示させる。
【００３６】
次に、装置のメモリカード挿入口６にメモリカード７が装着されたとき、メモリカード７に登録されたタイムコードに基づいて映像信号及び音声信号を再生して、編集する動作を説明する。メモリカード７が装置のメモリカード挿入口６に装着されると、ＶＴＲ操作制御装置１はＥＬ４にメモリカード７に登録されたタイムコードを表示させる。入力キー５からの入力操作により編集に必要なタイムコードを指定するための入力がされると、ＶＴＲ操作制御装置１はメモリカード７から指定されたタイムコードを読み取り、装置内部の図示しないＲＡＭに一時的に記憶させる。入力キー５からの入力操作により映像信号及び音声信号の再生をさせるための入力がされると、ＶＴＲ操作制御装置１から操作制御対象のＶＴＲに、映像信号の再生をさせるためのタイムコード及び制御信号が供給される。これにより、操作制御対象のＶＴＲは、指定されたタイムコードに基づく位置から制御信号に基づいて映像素材を再生する。
【００３７】
このとき、入力キー５からの入力操作により映像信号の記録をさせるための入力がされると、ＶＴＲ操作制御装置１から映像信号の記録をさせるための制御信号が供給される。これにより、タイムコードに対応する再生映像信号及び再生音声信号を編集して、編集テープに記録する。
【００３８】
なお、図１では、インターフェースケーブル３を用いて、ＶＴＲ操作制御装置１が操作制御対象のＶＴＲと電気的に接続される例を示したが、ＶＴＲ操作制御装置１を操作制御対象のＶＴＲと別体とせず、例えば、ＶＴＲ操作制御装置１を操作制御対象のＶＴＲの前面の操作パネル面に装着すると共に、電気的に接続して、ＶＴＲ操作制御装置１を操作制御対象のＶＴＲと一体として構成するようにしても良い。このように構成することにより、狭いスペースでも上例のＶＴＲ操作制御装置１を用いて編集作業を行うことができる。
【００３９】
このような、ＶＴＲ操作制御装置を用いて、映像編集システムを構成する例を図２に示す。図２において、映像編集システムは、素材再生側と編集側とで構成される。素材再生側は、映像素材テープ２１を装着して映像素材テープ２１を再生するビデオテーププレーヤー２０と、ビデオテーププレーヤー２０にリファレンス同期信号を供給するリファレンス同期信号発生器２４と、ビデオテーププレーヤー２０で再生された映像を表示するビデオモニター２５と、音声を出力するオーディオモニター２６とを有する。
【００４０】
また、編集側は、編集テープ２３を装着して編集テープ２３に編集映像を記録するビデオテープレコーダー２２と、ビデオテープレコーダー２２に操作制御信号を供給するＶＴＲ操作制御装置２７と、ビデオテープレコーダー２２で再生された映像を表示するビデオモニター２８と、音声を出力するオーディオモニター２９とを有する。なお、ＶＴＲ操作制御装置２７は、図１に示したＶＴＲ操作制御装置１に対応する。ＶＴＲ操作制御装置の構成は、すでに図１で述べたのでここでは省略する。
【００４１】
このように構成された映像編集システムの概略の動作を図２を用いて説明する。まず、ＶＴＲ操作制御装置２７のメモリカードにタイムコードを登録する動作を説明する。ＶＴＲ操作制御装置２７からビデオテープレコーダー２２にタイムコードの登録の操作制御信号が供給される。ビデオテープレコーダー２２は、ビデオテーププレーヤー２０にリモートコントロール信号を供給する。ビデオテーププレーヤー２０は、リモートコントロール信号に基づいて映像素材テープを再生して、ビデオテープレコーダー２２に再生映像信号及び再生音声信号を供給する。
【００４２】
このとき、リファレンス同期信号発生器２４からビデオテーププレーヤー２０にリファレンス同期信号が供給されていて、ビデオテーププレーヤー２０は、ビデオテープレコーダー２２に再生映像信号及び再生音声信号と共にリファレンス同期信号を供給する。なお、ビデオテーププレーヤー２０は、ビデオテープレコーダー２２を介してＶＴＲ操作制御装置２７に、タイムコードを供給する。そこで、オペレーターの操作に基づいて、編集に必要なタイムコードがＶＴＲ操作制御装置２７のメモリカードに登録される。
【００４３】
次に、ＶＴＲ操作制御装置のメモリカードに登録されたタイムコードに基づいて映像を編集する動作を説明する。ＶＴＲ操作制御装置２７からビデオテープレコーダー２２にタイムコードに対応する映像の再生の操作制御信号が供給される。ビデオテープレコーダー２２は、ビデオテーププレーヤー２０にリモートコントロール信号を供給する。ビデオテーププレーヤー２０は、リモートコントロール信号に基づいて映像素材テープを再生して、ビデオテープレコーダー２２にタイムコードに対応する再生映像信号及び再生音声信号を供給する。ビデオテープレコーダー２２は、再生映像信号及び再生音声信号を編集して、編集テープ２３に記録する。
【００４４】
図３に、本実施例のＶＴＲ操作制御装置のブロック図を示す。このＶＴＲ操作制御装置は、装置の制御を司るＣＰＵ３０と，制御プログラムやパラメータやテーブルおよび画面表示データ等を記憶したＲＯＭ３１と，ＲＯＭ３１に記憶されたデータ等および編集に用いるタイムコードを一時的に記憶するＲＡＭ３２とを有する。ＣＰＵ３０と，ＲＯＭ３１と、ＲＡＭ３２とで制御系を構成する。
【００４５】
また，このＶＴＲ操作制御装置は、制御情報を入力するキー３９と、キー３９で入力された制御情報を電気信号に変えるキーインターフェース回路３７と、制御情報を表示するＥＬ３８と，ＥＬ３８を駆動するＥＬドライブ回路３６とを有する。キー３９と、キーインターフェース回路３７とで入力系を構成し、ＥＬ３８と，ＥＬドライブ回路３６とで表示系を構成する。
【００４６】
また、このＶＴＲ操作制御装置は、制御対象のＶＴＲと装置とを電気的に接続するＶＴＲインターフェース回路３５を有する。ＶＴＲインターフェース回路３５は、入出力回路を構成する。ここで、ＶＴＲインターフェース回路３５には、制御対象のＶＴＲから電源電圧が供給される共に、制御対象のＶＴＲから編集に用いるタイムコードが供給される。また、ＶＴＲインターフェース回路３５は、制御対象のＶＴＲに制御情報を供給する。制御対象のＶＴＲは、図２に示したように、素材再生側のビデオテーププレーヤーおよび編集側のビデオテープレコーダーの両方または何れか一方に対応する。
【００４７】
また、この例のＶＴＲ操作制御装置は、特に、編集に用いるタイムコードを登録するメモリカード３３と、メモリカードと装置とを電気的に接続するメモリカードインターフェース回路３４とを有する。ここで、メモリカード３３に保存させるデータ形式を図５に示す。図５において示すように、メモリカード９０には、「データセット１」９１、「データセット２」９２、「データセット３」９３、・・・、「データセット８」９４までの８セット分のタイムコードのデータセットが記録される。この１組のデータセットは、メモリテーブル９５に示すように、「キューポイントデータ１」９７、「キューポイントデータ２」９８、・・・、「キューポイントデータ１００」９９までの１００個のキューポイントデータから構成される。このデータセットは、例えばデータセット１の名称９６のように、各組毎に名称がつけられている。
【００４８】
また、メモリテーブル９５で示したような１００個のキューポイントデータからなる１組のデータセットを、メモリテーブル１００で示すように、さらに１０グループ、つまり、「グループ１」１０２、「グループ２」１０７、・・・、「グループ１０」１１２に分けて、グループ１が、「キューポイントデータ１」１０４、「キューポイントデータ２」１０５、・・・、「キューポイントデータ１０」１０６までの１０個のキューポイントデータから構成されるようにし、グループ２が、「キューポイントデータ１」１０９、「キューポイントデータ２」１１０、・・・、「キューポイントデータ１０」１１１までの１０個のキューポイントデータから構成されるようにし、・・・、グループ１０が、「キューポイントデータ１」１１４、「キューポイントデータ２」１１５、・・・、「キューポイントデータ１０」１１６までの１０個のキューポイントデータから構成されるようにしても良い。このとき、「グループ１」１０２にはグループ１の名称１０３がつけられ、「グループ２」１０７にはグループ２の名称１０８がつけられ、・・・、「グループ１０」１１２にはグループ１０の名称１１３がつけられる。ここで、１個のキューポイントデータは、８桁の整数からなるタイムコードに等しいので、メモリカード内において４バイトの記憶領域を占有する。また、各データセットまたは各グループにつけられる名称は、ＡＳＣＩＩコードで１６文字以下の名称である。この例では、メモリカード内において１つのキューポイントデータセットにつき約６００バイトの記憶領域を占有する。１枚のメモリカードに登録して保存できるキューポイントデータセットは、約１００セットである。ただし、メモリカードの記憶容量を６４キロバイトとする。
【００４９】
図３に戻って、さらに、ＣＰＵ，ＲＯＭおよびＲＡＭを機能ブロックで表すと、図３において点線で示すような各手段で表すことができる。この機能ブロックは、編集に用いるタイムコードを装置内に一時的に記憶するタイムコード記憶手段４０と、メモリカード３３または制御対象のＶＴＲからタイムコードを読み取るタイムコード読み取り手段４１と、制御対象のＶＴＲの動作を制御するＶＴＲ制御手段４２と、ＥＬ３８に制御情報を表示させるように制御をする表示制御手段４３とを有する。タイムコード記憶手段４０と、タイムコード読み取り手段４１と、ＶＴＲ制御手段４２と、表示制御手段４３とにより第１の制御手段及び第２の制御手段を構成する。また、タイムコード記憶手段４０は位置情報一時記憶手段を構成し、タイムコード読み取り手段４１は位置情報読み取り手段を構成し、ＶＴＲ制御手段４２は記録再生制御手段を構成する。
【００５０】
このように構成されたＶＴＲ操作制御装置の動作を図３のブロック図を用いて説明する。まず、第１の制御手段によりＶＴＲ操作制御装置のメモリカード３３にタイムコードを登録する動作を説明する。キー３９を用いてタイムコードの登録のためのキー入力がされると、キーインターフェース回路３７はキー入力に対応するキー信号を表示制御手段４３に供給する。キー信号が供給されると、表示制御手段４３はＥＬ３８にタイムコードの登録のための制御情報を表示させる。
【００５１】
キー３９を用いて制御対象のＶＴＲのうちの素材再生側のビデオテーププレーヤーの再生をさせるためのキー入力がされると、キーインターフェース回路３７はキー入力に対応するキー信号をＶＴＲ制御手段４２に供給する。キー信号が供給されると、ＶＴＲ制御手段４２はＶＴＲインターフェース回路３５を介して素材再生側のビデオテーププレーヤーに映像信号及び音響信号の再生をさせるための制御信号を供給する。素材再生側のビデオテーププレーヤーは、制御信号に基づいて映像素材テープに記録された映像信号及び音響信号を再生し、ＶＴＲ操作制御装置に再生された映像信号及び音響信号に対応するタイムコードを供給する。
【００５２】
次に、キー３９を用いて編集に必要なタイムコードを登録するためのキー入力がされると、キーインターフェース回路３７はキー入力に対応するキー信号をタイムコード読み取り手段４１に供給する。キー信号が供給されると、タイムコード読み取り手段４１は編集に必要なタイムコードを読み取り、タイムコード記憶手段４０に一時的に記憶させる。このとき、表示制御手段はＥＬ３８にタイムコード読み取り手段４１により読み取られたタイムコードを表示させる。
【００５３】
編集に必要なタイムコードをメモリカード３３へ登録するためのキー入力がされると、キーインターフェース回路３７はキー入力に対応するキー信号をタイムコード読み取り手段４１に供給する。キー信号が供給されると、タイムコード読み取り手段４１は、タイムコード記憶手段４０に一時的に記憶されたタイムコードを読みだして、メモリカード３３にコピーして記憶させる。このようにして、編集に必要なタイムコードがメモリカード３３に登録される。このとき、表示制御手段４３はＥＬ３８にタイムコード読み取り手段４１により読み取られたタイムコードおよび、メモリカード３３にコピーされたタイムコードを表示させる。
【００５４】
次に、第２の制御手段によりＶＴＲ操作制御装置のメモリカードに登録されたタイムコードに基づいて映像を再生して、編集する動作を説明する。メモリカード３３が装置に装着されると、メモリカードインターフェース回路３４はメモリカード３３の装置に対応するメモリカード装着信号を表示制御手段４３に供給する。メモリカード装着信号が供給されると、表示制御手段４３はＥＬ３８にメモリカード３３に登録されたタイムコードを表示させる。キー３９を用いて編集に必要なタイムコードを指定するためのキー入力がされると、キーインターフェース回路３７はキー入力に対応するキー信号をタイムコード読み取り手段４１に供給する。キー信号が供給されると、タイムコード読み取り手段４１はメモリカード３３から指定されたタイムコードを読み取り、タイムコード記憶手段４０に一時的に記憶させる。
【００５５】
キー３９を用いて制御対象のＶＴＲのうちの素材再生側のビデオテーププレーヤーの再生をさせるためのキー入力がされると、キーインターフェース回路３７はキー入力に対応するキー信号をＶＴＲ制御手段４２に供給する。キー信号が供給されると、ＶＴＲ制御手段４２はＶＴＲインターフェース回路３５を介して素材再生側のビデオテーププレーヤーに映像信号及び音響信号の再生をさせるためのタイムコード及び制御信号を供給する。素材再生側のビデオテーププレーヤーは、指定されたタイムコードの位置から制御信号に基づいて映像素材テープに記録された映像信号及び音響信号を再生する。
【００５６】
このとき、キー３９を用いて制御対象のＶＴＲのうちの編集側のビデオテープレコーダーの記録をさせるためのキー入力がされると、キーインターフェース回路３７はキー入力に対応するキー信号をＶＴＲ制御手段４２に供給する。キー信号が供給されると、ＶＴＲ制御手段４２はＶＴＲインターフェース回路３５を介して編集側のビデオテープレコーダーに記録をさせるための制御信号を供給する。素材再生側のビデオテーププレーヤーは、映像素材テープを再生して、編集側のビデオテープレコーダーにタイムコードに対応する再生映像信号及び再生音声信号を供給する。これにより、編集側のビデオテープレコーダーは、再生映像信号及び再生音声信号を編集して、編集テープに記録する。
【００５７】
図４に、本実施例のＶＴＲ操作制御装置のキー配置を示す。図４は、図１に示したＶＴＲ操作制御装置の操作パネル面上のキー配置を示す。図４において、ＥＬ５０の左側にはＦ１キー５１，Ｆ２キー５２，Ｆ３キー５３，Ｆ４キー５４がそれぞれＥＬ５０の左側部に縦に１列に配置されている。また、ＥＬ５０の下側にはＦ５キー５５，Ｆ６キー５６，Ｆ７キー５７，Ｆ８キー５８，Ｆ９キー５９，Ｆ１０キー６０がそれぞれＥＬ５０の下側に横に１列に配置されている。このＦ１キー５１〜Ｆ１０キー６０は、ファンクションキーである。ＥＬ５０の左側端部には縦に１列にＦ１キー５１〜Ｆ４キー５４に対応するキーの機能が表示される。ＥＬ５０の下端部には横に１列にＦ５キー５５〜Ｆ１０キー６０に対応するキーの機能が表示される。ＥＬ５０の左側端部およびＥＬ５０の下端部に表示されたキーの機能に対応するＦ１キー５１〜Ｆ１０キー６０のファンクションキーを押すことにより、ＥＬ５０の左側端部およびＥＬ５０の下端部に表示されたキーの機能を選択して実行させることができる。
【００５８】
ホーム（ＨＯＭＥ）キー６１は、ＥＬ５０にホームメニュー画面を表示させるキーである。タイムコード（ＴＣ）キー６２は、ＥＬ５０の左側端部およびＥＬ５０の下端部に表示されたキーの機能を変えるキーであり、特に、タイムコードデータやユーザーズビットの設定の際に用いる。キュー（ＣＵＥ）キー６３は、ＥＬ５０にキューポイント登録画面を表示させると共に、キューポイント登録または読み出しの動作をさせるキーである。
【００５９】
ＰＦ１キー６４，ＰＦ２キー６５は，ＥＬ５０の左側端部およびＥＬ５０の下端部に表示されたキーの機能を変えるキーである。セットアップ（ＳＥＴ ＵＰ）キー６６は、ＥＬ５０にセットアップ画面を表示させると共に、メモリカードに対してキューポイント登録動作をさせるキーである。エントリー（ＥＮＴＲＹ）キー６７は、タイムコード読み取り手段４１がタイムコードを読み取ってタイムコード記憶手段４０に記憶させる動作をさせるキーである。カーソルキー６８は、ＥＬ５０に表示されるカーソルを移動させるキーである。
【００６０】
停止キー７１は、制御対象のＶＴＲの動作を停止させるキーである。再生キー７２は、制御対象のＶＴＲに再生の動作をさせるキーである。記録キー７３は、制御対象のＶＴＲに記録の動作をさせるキーである。プリロールキー７０は、制御対象のＶＴＲにキューポイントの直前までテープを移動させて再生する、いわゆるプリロールの動作をさせるキーである。
【００６１】
アクセスキー７４は、即座にメモリカードに登録されたタイムコードをＥＬに表示させるキーである。イジェクトキー７５は、制御対象のＶＴＲに装着されたテープのイジェクト動作をさせるキーである。プレーヤーキー７６は、制御対象のＶＴＲとして素材再生側のプレーヤーを選択するキーである。レコーダーキー７７は、制御対象のＶＴＲとして編集側のレコーダーを選択するキーである。
【００６２】
シャトルキー７８は、サーチダイヤル８１を用いて制御対象のＶＴＲに対してシャトル動作をさせるキーである。ジョグキー７９は、サーチダイヤル８１を用いて制御対象のＶＴＲに対してジョグ動作をさせるキーである。バリアブルキー８０は、サーチダイヤル８１を用いて制御対象のＶＴＲに対してバリアブル動作をさせるキーである。サーチダイヤル８１は、制御対象のＶＴＲに対して、シャトル動作、ジョグ動作、バリアブル動作の何れかの動作をさせるダイヤルである。
【００６３】
次に、本実施例のＶＴＲ操作制御装置の動作をフローチャート及びＥＬの表示例を参照しながら説明する。なお、ＶＴＲ操作制御装置の構成及びキーについては、適宜図３のブロック図及び図４のキー配置図を参照しながら説明する。
【００６４】
まず、図６に、本実施例のメインフローチャートを示す。スタートすると、ステップＳ１で表示制御手段４３はＥＬ３８にホームメニュー画面を表示させる。図１２にホームメニュー画面を示す。図１２において、画面右上にホームメニュー画面選択表示１２０がされ、画面中央に任意のサンプルタイムコード１２１が大きく表示され、サンプル点の編集開始点１２２及び編集終了点１２３が表示される。
【００６５】
次に、ステップＳ２で何かキーが押されたか否かが判断される。そして、ステップＳ３でキューキー６３が押されたか否かが判断される。ここで、キューキー６３が押されたときは、ステップＳ４で登録ルーチンに入った後にリターンする。また、ステップＳ２で何もキーが押されないときは、ステップＳ５でメモリカードが挿入されたか否かが判断される。ここでメモリカードが挿入されたときは、ステップＳ６で読み出しルーチンに入った後にリターンする。また、ステップＳ３でキューキー６３が押されないときは、ステップＳ７で他のキーが押されたか否かが判断される。ここで他のキーが押されたときは、ステップＳ８で他の処理を行った後にリターンする。そして、ステップＳ１で表示制御手段４３がＥＬ３８にホームメニュー画面を表示させた後に、Ｓ７でステップ装置の電源オフ前に終了の割り込みがあったか否かが判断される。終了の割り込みがあったときは、終了する。終了の割り込みがなかったときは、ステップＳ２以降の処理を繰り返す。なお、登録ルーチンは第１の制御手段による動作を示し、読み出しルーチンは第２の制御手段による動作を示す。
【００６６】
図７乃至図９に登録ルーチンのフローチャートを示す。登録ルーチンに入ったら、ステップＳ１０で表示制御手段４３は、ＥＬ３８にキューポイント登録画面を表示させる。図１３にキューポイント登録画面を示す。図１３において、画面右上にキューポイント登録画面選択表示１３０がされ、画面中央は空白となる。そして、ステップＳ１１で再生キー７２が押されたか否かが判断される。再生キー７２が押されたときは、ＶＴＲ制御手段４２はＶＴＲの再生を開始する制御信号を素材再生側ビデオテーププレーヤーに供給する。ステップＳ１２でビデオテーププレーヤーは制御信号に基づいて再生を開始する。
【００６７】
ステップＳ１３でタイムコード読み取り手段４１はキューポイント番号ＣＵをＣＵ＝０にセットする。ステップＳ１４でタイムコード読み取り手段４１はビデオテーププレーヤーから供給されるタイムコードを読み取る。ステップＳ１５でエントリーキー６７が押されたか否かが判断される。エントリーキー６７が押されないときは、ステップＳ１４に戻って連続してタイムコード読み取り手段４１はビデオテーププレーヤーから供給されるタイムコードを読み取る。
【００６８】
ステップＳ１５でエントリーキー６７が押されたときは、ステップＳ１６でタイムコード読み取り手段４１はキューポイント番号ＣＵに対応するタイムコード記憶手段４０としてのメモリのアドレスにそのタイムコードを記憶させる。なお、ステップＳ１５でエントリーキー６７が押されたときに、図１３に示したキューポイント登録画面中央にエントリーキー６７が押されたときのタイムコード１３１が表示される。ここで、エントリーキー６７が押されたとき画面にタイムコード１３１が表示された後にカーソル１３２が順次下方に移動する。これにより、次に取り込むタイムコードをカーソル１３２で表示することができる。図１３においては、ページ１の１０番目のタイムコード１３１が表示された後に１１番目にカーソル１３２が移動した例を示す。
【００６９】
図７に戻って、ステップＳ１７でタイムコード読み取り手段４１はキューポイント番号ＣＵに１を加算して、ＣＵ＝ＣＵ＋１とする。ステップＳ１８で停止キー７１が押されたか否かが判断される。停止キー７１が押されたときは、ＶＴＲ制御手段４２はＶＴＲの再生を停止する制御信号を素材再生側ビデオテーププレーヤーに供給する。ステップＳ１９でビデオテーププレーヤーは制御信号に基づいてＶＴＲを停止させる。ステップＳ１８で停止キー７１が押されないときは、ステップＳ２０でキューポイント番号ＣＵが９９を越えたか否かが判断される。キューポイント番号ＣＵが９９を越えないときは、ステップＳ１２に戻ってステップＳ１２からステップＳ２０までの処理を繰り返す。ステップＳ１２からステップＳ２０までの処理は、キューポイントデータを必要な数だけ、この例では１００個だけタイムコード記憶手段４０に記憶させる処理を示す。
【００７０】
ステップＳ１９でＶＴＲを停止させたとき、またはステップＳ２０でキューポイント番号ＣＵが９９を越えたときは、図８において示すように、ステップＳ２１でセットアップキー６６が押されたか否かが判断される。セットアップキー６６が押されたとき、ステップＳ２２で表示制御手段４３はＥＬ３８にセットアップ画面を表示させる。図１４に、セットアップ画面を示す。画面右上にセットアップ画面選択表示１４０がされる。画面中央には、セットアップメニュー１４１が表示される。ここで、画面の左側端部および下端部にはファンクションキーＦ１〜Ｆ１０に対応するキーの各機能が表示される。このキーの各機能が画面中央にセットアップメニュー１４１として表示される。ここでは、画面の左側端部のファンクションキーＦ２に対応するメモリカードキーの表示１４２及び画面中央にＦ２に対応するセットアップメニュー１４１を示し、他の表示を省略する。
【００７１】
図８に戻って、ステップＳ２３で、メモリカードキー（Ｆ２）が押されたか否かが判断される。メモリカードキーは、図１４において示したように、Ｆ２キーに対応する。このとき、メモリカードが装置に装着されているか否かも判断される。つまり、メモリカードが装置に装着されていないときには、図１５において示す画面の中央左側の「ＭＥＭＯＲＹ ＣＡＲＤ」以下「０〜８」のメモリカード装着表示１５４がされない。これにより、メモリカードが装置に装着されているかどうかを知ることができる。
【００７２】
ステップＳ２３で、メモリカードキー（Ｆ２）が押されたときは、ステップＳ２４で、表示制御手段４３はＥＬ３８にメモリカード画面を表示させる。図１５に、メモリカード画面を示す。画面右上にメモリカード画面選択表示１５０がされる。図１５においても、画面の左側端部および下端部にはファンクションキーＦ１〜Ｆ１０に対応するキーの各機能が表示される。ここで、画面の左側端部のファンクションキーＦ３に対応するショーセットアップキーの表示１５１がされ、ショーセットアップキーの表示１５１の下部にショーセットアップ選択表示１５２がされる。また、画面の左側端部のファンクションキーＦ４に対応するショーキューセットキーの表示１５３がされる。
【００７３】
図８に戻って、ステップＳ２５で、ショーキューセットキー（Ｆ４）が押されたか否かが判断される。ショーキューセットキーは、図１５において示したように、Ｆ４キーに対応する。ショーキューセットキー（Ｆ４）が押されたときは、ステップＳ２６で、表示制御手段４３はＥＬ３８にメモリカードキューセット画面を表示させる。図１６に、メモリカードキューセット画面を示す。画面右上には、メモリカードキューセット画面選択表示１６０がされる。ここで、画面の左側端部のファンクションキーＦ４に対応するショーキューセットキーの表示１６３がされる。また、ショーキューセットキーの表示１６３の下部にショーキューセット選択表示１６４がされる。また、画面の下側端部のファンクションキーＦ９に対応する位置にコピーキーの表示１６５がされ、ファンクションキーＦ６に対応する位置にエディットタイトルキーの表示１６６がされる。
【００７４】
図８に戻って、ステップＳ２７で、コピーキー（Ｆ９）が押されたか否かが判断される。コピーキーは、図１６において示したように、Ｆ９キーに対応する。コピーキー（Ｆ９）が押されないときは、ステップＳ２８で、エディットタイトルキー（Ｆ６）が押されたか否かが判断される。エディットタイトルキーは、図１６において示したように、Ｆ６キーに対応する。エディットタイトルキー（Ｆ６）が押されたときは、ステップＳ２９で、表示制御手段４３はＥＬ３８にファイル名入力画面を表示させる。図１７にファイル名入力画面を示す。画面中央にファイル名入力画面選択表示１７０がされる。画面中央内部にカーソル１７２および入力されたファイル名１７１が表示される。図８に戻って、ステップＳ３０で、カーソルキー６８が押されたか否かが判断される。カーソルキーが押されたときは、ステップＳ３１で表示制御手段４３は文字列の帯１７５を移動する。
【００７５】
図１７において、画面の下側端部のファンクションキーＦ７に対応する位置にセットレターキーの表示１７３がされ、ファンクションキーＦ１０に対応する位置にセーブキーの表示１７４がされる。
【００７６】
図９において、ステップＳ３２でセットレターキーが押されたか否かが判断される。セットレターキーは、図１７において示したように、Ｆ７キーに対応する。セットレターキー（Ｆ７）が押されたときは、ステップＳ３３でタイムコード読み取り手段４１は文字列の帯１７５の中央の文字１７６をファイル名１７１の表示エリアに表示し、カーソル１７２を１つ右に進める。ステップＳ３２でセットレターキー（Ｆ７）が押されないとき、またはステップＳ３３の処理を経た後に、ステップＳ３４でセーブキー（Ｆ１０）が押されたか否かが判断される。セーブキー（Ｆ１０）が押されたときは、ファイル名が確定し、ステップＳ３５で表示制御手段４３はＥＬ３８にメモリカードキューセット画面を表示する。ステップＳ３４でセーブキー（Ｆ１０）が押されないときは、ステップＳ２９に戻り、ステップＳ２９からステップＳ３４の処理を行う。この処理は、ファイル名が確定しない場合の追加入力の処理である。
【００７７】
図１６において、画面の下側端部のファンクションキーＦ９に対応する位置にコピーキーの表示１６５がされ、ファンクションキーＦ１０に対応する位置にイグジットキーの表示１６７がされる。図９に戻って、ステップＳ３６でコピーキー（Ｆ９）が押されたか否かが判断される。ステップＳ２７またはステップＳ３６でコピーキー（Ｆ９）が押されたときは、ステップＳ３７で表示制御手段４３はＥＬ３８にメモリカードキューセット画面を表示させる。つまり、ファイル名がすでに入力されていて、再度ファイル名を入力する必要がないときは、ステップＳ２７から直接、ステップＳ３７へ進んでも良い。
【００７８】
このときステップＳ３７で、図１６において、画面中央に示すように、表示制御手段４３はＶＴＲ領域１６１でタイトルで表示されるデータをメモリカード領域１６２にコピーして表示する。このようにして、キューポイントデータをメモリカードに登録させる準備をする。
【００７９】
次に、ステップＳ３８でタイムコード読み取り手段４１は、メモリとしてのタイムコード記憶手段４０に記憶されたキューポイントデータとしてのタイムコードをロードして、メモリカードに記憶させる。ステップＳ３９でイグジットキー（Ｆ１０）が押されたか否かが判断される。イグジットキーは、図１６において示したように、Ｆ１０キーに対応する。イグジットキー（Ｆ１０）が押されたときは、ステップＳ４０で、表示制御手段４３はＥＬ３８にセットアップ画面を表示させる。ステップＳ４１で、キューキー６３が押されたか否かが判断される。キューキー６３が押されたときは、ステップＳ４２で、表示制御手段４３はＥＬ３８にキューポイント登録画面を表示させる。そして、登録ルーチンを出る。
【００８０】
次に、図１０乃至図１１に読み出しルーチンのフローチャートを示す。読み出しルーチンに入ったら、ステップＳ５０で、表示制御手段４３は、ＥＬ３８にメモリカードキューセット画面を表示させる。図１６において、画面の下側端部のファンクションキーＦ８に対応する位置にディレクションキーの表示１６８がされる。図１０に戻って、ステップＳ５１で、ディレクションキー（Ｆ８）が押されたか否かが判断される。ディレクションキー（Ｆ８）が押されたときは、ステップＳ５２で、表示制御手段４３は画面の矢印表示を右方向に変える。ディレクションキーは、図１６において示したように、Ｆ８キーに対応する。ステップＳ５３で、カーソルキー６８が押されたか否かが判断される。カーソルキー６８が押されたときは、ステップＳ５４で、表示制御手段４３はカーソルを移動させる。ステップＳ５３で、カーソルキー６８が押されないときは、ステップＳ５１に戻り、ステップＳ５１からステップＳ５３までの処理を行う。この処理は、画面内の表示内容を移動させる処理である。
【００８１】
次に、ステップＳ５５でコピーキー（Ｆ９）が押されたか否かが判断される。コピーキー（Ｆ９）が押されたときは、図１１において示すように、ステップＳ５６でタイムコード読み取り手段４１は、メモリカードの対応グループのキューポイントデータをタイムコード記憶手段４０としてのメモリにロードする。ステップＳ５５でコピーキー（Ｆ９）が押されないときは、ステップＳ５３に戻り、ステップＳ５３からステップＳ５５までの処理を行う。この処理は、キューポイントデータの選択及びその確定の処理である。
【００８２】
ステップＳ５７でイグジットキー（Ｆ１０）が押されたか否かが判断される。イグジットキーは、図１６において示したように、Ｆ１０キーに対応する。イグジットキー（Ｆ１０）が押されたときは、ステップＳ５８で、表示制御手段４３はＥＬ３８にセットアップ画面を表示させる。ステップＳ５９でキューキー６３が押されたか否かが判断される。キューキー６３が押されたときは、ステップＳ６０で表示制御手段４３はＥＬ３８にキューポイント登録画面を表示させる。
【００８３】
ステップＳ６１でカーソルキー６８が押されたか否かが判断される。カーソルキー６８が押されたときは、ステップＳ６２で表示制御手段４３はカーソルを移動させる。ステップＳ６３でプリロールキー７０が押されたか否かが判断される。プリロールキー７０が押されたときは、ステップＳ６４でＶＴＲ制御手段４２は、素材再生側のビデオテーププレーヤーにタイムコードとキューアップコマンドを供給して、読み出しルーチンを出る。ステップＳ６３でプリロールキー７０が押されないときは、ステップＳ６１に戻る。
【００８４】
ステップＳ６１からステップＳ６３までの処理は、メモリカードからタイムコード記憶手段４０にロードされたキューポイントの指定及びその確定の処理である。ステップＳ６３でプリロールキーが押されることにより、キューポイントが確定される。
これにより、素材再生側のビデオテーププレーヤーは、キューポイントとして指定されたタイムコードに対応する映像の位置から再生を開始して、編集側ビデオテープレコーダーに映像信号及び音声信号を供給する。編集側ビデオテープレコーダーは、供給された映像信号及び音声信号を編集して編集テープに記録する。
【００８５】
このように、上例では、編集作業は、以下のような手順で行われる。まず、素材再生側のビデオテーププレーヤーに装着された映像素材テープの中から必要な映像を探し出して、操作パネル上のエントリーキーを用いて、その映像のタイムコードをキューポイントとしてタイムコード記憶手段に割り当てられたキューポイントリストに順次登録していく。
しかし、ここで、もし、手書きのキューポイントリストが予め用意されているならば、そのタイムコードを直接テンキーで入力するようにしても良い。
また、上例では、すでにキューポイントが登録されているメモリカードがあれば、これを装置に装着し、一括してキューポイントデータセットの読み出しを行う。そこで、読み出されたキューポイントデータをもとに映像素材テープの頭出しを行い、編集作業を進める。
しかし、ここで、編集作業中に、キューポイントデータに修正が加えられた場合、修正後のキューポイントリストをメモリカードに再登録するようにしても良い。
【００８６】
上例によれば、予め、キーの入力操作により編集に必要なタイムコードをメモリカードに登録しておくことにより、編集テープを装置本体から取り出したり、また装置本体の電源を切ったときでも、メモリカードに登録したタイムコードが消滅することがない。従って、編集テープを装置本体から取り出したり、また装置本体の電源を切ったときでも、メモリカードを装置に装着するだけで、編集に必要なタイムコードを再度登録する作業が不要となるため、編集作業を効率的に行うことができる。
【００８７】
また、上例によれば、タイムコード読み取り手段により読み取られたタイムコードをタイムコード記憶手段に一時的に記憶する際に、ＥＬにタイムコードに関する情報を表示することができるので、タイムコードをメモリカードに登録させる際またはメモリカードからタイムコードを読み出す際に伴うタイムコードの読み取りの操作を効率的に行うことができる。従って、装置全体の操作性を向上させることができる。
【００８８】
また、上例によれば、映像素材テープに記録された情報信号のタイムコードをメモリカードに登録する際またはメモリカードに登録された情報信号のタイムコードに基づいて情報信号を再生する際に、ＥＬにキューポイント登録画面またはメモリカードキューセット画面を表示しながら、タイムコードの読み取りを行うことができるので、タイムコードをメモリカードに登録させる際またはメモリカードからタイムコードを読み出す際に伴うタイムコードの読み取りの操作性を向上させることができる。
【００８９】
また、上例によれば、予め、キーの入力操作により編集に必要なタイムコードをメモリカードに登録しておくことにより、編集テープを装置本体から取り出したり、また装置本体の電源を切ったとき、またこの編集システムを別の場所に移動したときでも、メモリカードに登録したタイムコードが消滅することがない。従って、編集テープを装置本体から取り出したり、また装置本体の電源を切ったときでも、メモリカードを装置に装着するだけで、編集に必要なタイムコードを再度記憶する作業が不要となるため、編集作業を効率的に行うことができる。
【００９０】
また、上例によれば、タイムコード読み取り手段により読み取られたタイムコードをタイムコード記憶手段に一時的に記憶する際に、ＥＬにタイムコードに関する情報を表示することができるので、タイムコードをメモリカードに登録させる際またはメモリカードからタイムコードを読み出す際に伴うタイムコードの読み取りの操作を効率的に行うことができる。従って、編集システム全体の操作性を向上させることができる。また、上例では、図２において、ＶＴＲ操作制御装置２７を編集側ビデオテープレコーダー２２に接続して、リモートコントロールにより素材再生側ビデオテーププレーヤー２０を操作する例を示したが、ＶＴＲ操作制御装置２７を素材再生側ビデオテーププレーヤー２０および編集側ビデオテープレコーダー２２に接続して直接操作するようにしてもよい。
【図面の簡単な説明】
【００９１】
【図１】この発明の記録再生装置、記録再生方法および記録再生システムの一実施例のＶＴＲ操作制御装置の外観斜視図である。
【図２】この発明の記録再生装置、記録再生方法および記録再生システムの一実施例のＶＴＲ操作制御装置を用いた編集システムのシステム構成図である。
【図３】この発明の記録再生装置、記録再生方法および記録再生システムの一実施例のＶＴＲ操作制御装置の構成を示すブロック図である。
【図４】この発明の記録再生装置、記録再生方法および記録再生システムの一実施例のＶＴＲ操作制御装置のキー配置を示す図である。
【図５】この発明の記録再生装置、記録再生方法および記録再生システムの一実施例のＶＴＲ操作制御装置に装着されるメモリカードに保存されるデータ形式を示す図である。
【図６】この発明の記録再生装置、記録再生方法および記録再生システムの一実施例のＶＴＲ操作制御装置の動作を示すメインフローチャートである。
【図７】この発明の記録再生装置、記録再生方法および記録再生システムの一実施例のＶＴＲ操作制御装置の動作を示す登録ルーチンのフローチャートである。
【図８】この発明の記録再生装置、記録再生方法および記録再生システムの一実施例のＶＴＲ操作制御装置の動作を示す登録ルーチンのフローチャートである。
【図９】この発明の記録再生装置、記録再生方法および記録再生システムの一実施例のＶＴＲ操作制御装置の動作を示す登録ルーチンのフローチャートである。
【図１０】この発明の記録再生装置、記録再生方法および記録再生システムの一実施例のＶＴＲ操作制御装置の動作を示す読み出しルーチンのフローチャートである。
【図１１】この発明の記録再生装置、記録再生方法および記録再生システムの一実施例のＶＴＲ操作制御装置の動作を示す読み出しルーチンのフローチャートである。
【図１２】この発明の記録再生装置、記録再生方法および記録再生システムの一実施例のＶＴＲ操作制御装置のホームメニュー画面の表示例を示す図である。
【図１３】この発明の記録再生装置、記録再生方法および記録再生システムの一実施例のＶＴＲ操作制御装置のキューポイント登録画面の表示例を示す図である。
【図１４】この発明の記録再生装置、記録再生方法および記録再生システムの一実施例のＶＴＲ操作制御装置のセットアップ画面の表示例を示す図である。
【図１５】この発明の記録再生装置、記録再生方法および記録再生システムの一実施例のＶＴＲ操作制御装置のメモリカード画面の表示例を示す図である。
【図１６】この発明の記録再生装置、記録再生方法および記録再生システムの一実施例のＶＴＲ操作制御装置のメモリカードキューセット画面の表示例を示す図である。
【図１７】この発明の記録再生装置、記録再生方法および記録再生システムの一実施例のＶＴＲ操作制御装置のファイル名入力画面の表示例を示す図である。
【符号の説明】
【００９２】
１… ＶＴＲ操作制御装置、２… 操作パネル、３… インターフェースケーブル、４… ＥＬ、５… 入力キー、６… メモリカード挿入口、７… メモリカード、２０… ビデオテーププレーヤー、２１… 映像素材テープ、２２… ビデオテープレコーダー、２３… 編集テープ、３０… ＣＰＵ、３１… ＲＯＭ、３２… ＲＡＭ、３３… メモリカード、３４… メモリカードインターフェース、３５… ＶＴＲインターフェース回路、３６… ＥＬドライブ回路、３７… キーインターフェース回路、３８… ＥＬ、３９… キー、４０… タイムコード記憶手段、４１… タイムコード読み取り手段、４２… ＶＴＲ制御手段、４３… 表示制御手段
【図１】
2006060838.tif 000003
【図２】
2006060838.tif 000004
【図３】
2006060838.tif 000005
【図４】
2006060838.tif 000006
【図５】
2006060838.tif 000007
【図６】
2006060838.tif 000008
【図７】
2006060838.tif 000009
【図８】
2006060838.tif 000010
【図９】
2006060838.tif 000011
【図１０】
2006060838.tif 000012
【図１１】
2006060838.tif 000013
【図１２】
2006060838.tif 000014
【図１３】
2006060838.tif 000015
【図１４】
2006060838.tif 000016
【図１５】
2006060838.tif 000017
【図１６】
2006060838.tif 000018
【図１７】
2006060838.tif 000019
【手続補正書】
【提出日】平成17年9月27日(2005.9.27)
【手続補正１】
【補正対象書類名】特許請求の範囲
【補正対象項目名】全文
【補正方法】変更
【補正の内容】
【特許請求の範囲】
【請求項１】
記録媒体に記録された情報信号の位置情報を登録する記憶保持装置であって、
記録再生装置に脱着可能に電気的に接続されるための入出力回路を有し、
複数の上記位置情報で構成される１つのデータセットが複数でなるデータ形式を登録することが可能であり、
上記記録再生装置と上記入出力回路で電気的に接続され、登録された上記位置情報を供給し、上記記録再生装置は供給された上記位置情報に基づいて上記情報信号の記録または再生の動作を制御することを特徴とする記憶保持装置。
【請求項２】
上記記録再生装置内部の記憶手段に記憶された上記位置情報を内部に有する不揮発性メモリにコピーすることを特徴とする請求項１に記載の記憶保持装置。
【請求項３】
上記記録再生装置の表示制御手段により、上記記憶保持装置に登録された上記位置情報のエディットタイトルを表示することを特徴とする請求項１に記載の記憶保持装置。
【請求項４】
上記記録再生装置の制御手段により、上記記憶保持装置に登録された上記位置情報のエディットタイトルを入力することが可能なことを特徴とする請求項１に記載の記憶保持装置。
【請求項５】
記録媒体に記録された情報信号の位置情報を登録する記憶保持方法であって、
記録再生装置に脱着可能に電気的に接続されるための入出力回路を用いて、
複数の上記位置情報で構成される１つのデータセットが複数でなるデータ形式を登録することが可能であり、
上記記録再生装置と上記入出力回路で電気的に接続され、登録された上記位置情報を供給し、上記記録再生装置は供給された上記位置情報に基づいて上記情報信号の記録または再生の動作を制御することを特徴とする記憶保持方法。
【手続補正３】
【補正対象書類名】明細書
【補正対象項目名】００１０
【補正方法】変更
【補正の内容】
【００１０】
本発明の記憶保持装置は、記録媒体に記録された情報信号の位置情報を登録する記憶保持装置であって、記録再生装置に脱着可能に電気的に接続されるための入出力回路を有し、複数の位置情報で構成される１つのデータセットが複数でなるデータ形式を登録することが可能であり、記録再生装置と入出力回路で電気的に接続され、登録された位置情報を供給し、記録再生装置は供給された位置情報に基づいて情報信号の記録または再生の動作を制御するものである。
【手続補正４】
【補正対象書類名】明細書
【補正対象項目名】００１１
【補正方法】変更
【補正の内容】
【００１１】
本発明の記憶保持方法は、記録媒体に記録された情報信号の位置情報を登録する記憶保持方法であって、記録再生装置に脱着可能に電気的に接続されるための入出力回路を用いて、複数の位置情報で構成される１つのデータセットが複数でなるデータ形式を登録することが可能であり、記録再生装置と入出力回路で電気的に接続され、登録された位置情報を供給し、記録再生装置は供給された位置情報に基づいて情報信号の記録または再生の動作を制御するものである。
【手続補正５】
【補正対象書類名】明細書
【補正対象項目名】００１２
【補正方法】削除
【補正の内容】